(57)【要約】【課題】本発明は無線ＬＡＮを安価に監視することのできるネットワーク監視装置、ネットワーク監視システム、ネットワーク監視方法、及びネットワーク監視プログラムを提供する。【解決手段】ネットワーク監視装置１０は、無線ＬＡＮ通信部２０の無線通信方式を用いてアクセスポイントＡＰ１，ＡＰ２を含む無線ＬＡＮ１０１を介するデータ通信を行い、当該データ通信のスループットを測定するスループット測定部５１と、無線ＬＡＮ通信部２０の無線通信方式と異なるＬＰＷＡ通信部３０の無線通信方式を用いてスループットを送信する送信部５４と、を備え、無線ＬＡＮ通信部２０の無線通信方式は相対的に高い通信速度の無線通信方式であり、ＬＰＷＡ通信部３０の無線通信方式は相対的に低い通信速度の無線通信方式である。【選択図】図２
2020048151.tif 000002
【特許請求の範囲】
【請求項１】
第１無線通信方式を用いてアクセスポイントを含む無線ＬＡＮを介するデータ通信を行い、該データ通信のスループットを測定するスループット測定部と、
前記第１無線通信方式と異なる第２無線通信方式を用いて前記スループットを送信する送信部と、を備え、
前記第１無線通信方式は相対的に高い通信速度の無線通信方式であり、前記第２無線通信方式は相対的に低い通信速度の無線通信方式である、
ネットワーク監視装置。
【請求項２】
前記第１無線通信方式を用いて前記無線ＬＡＮの電波強度を測定する電波強度測定部をさらに備え、
前記送信部は、前記第２無線通信方式を用いて前記電波強度を送信する、
請求項１に記載のネットワーク監視装置。
【請求項３】
前記第１無線通信方式を用いて前記アクセスポイントから前記無線ＬＡＮに関する無線ＬＡＮ情報を取得する取得部をさらに備え、
前記送信部は、前記第２無線通信方式を用いて前記無線ＬＡＮ情報を送信する、
請求項１又は２に記載のネットワーク監視装置。
【請求項４】
前記第１無線通信方式はインターネットプロトコルに従う無線通信方式であり、前記第２無線通信方式はＬＰＷＡに関する無線通信方式である、
請求項１から３のいずれか一項に記載のネットワーク監視装置。
【請求項５】
前記無線ＬＡＮ情報は、前記アクセスポイントのＭＡＣアドレス、ＳＳＩＤ、該ＳＳＩＤの電波強度、及び周波数チャネルのうちの少なくとも一つを含む、
請求項１から４のいずれか一項に記載のネットワーク監視装置。
【請求項６】
請求項１から５のいずれか一項に記載のネットワーク監視装置と、
前記ネットワーク監視装置から前記スループットを含むネットワーク情報を取得する中央監視装置と、を備える、
ネットワーク監視システム。
【請求項７】
前記中央監視装置は、前記無線ＬＡＮに含まれるコントローラから前記無線ＬＡＮに接続された通信機器に関する接続機器情報を取得する、
請求項６に記載のネットワーク監視システム。
【請求項８】
ネットワーク監視装置のネットワーク監視方法であって、
前記ネットワーク監視装置が、第１無線通信方式を用いてアクセスポイントを含む無線ＬＡＮを介するデータ通信を行い、該データ通信のスループットを測定するスループット測定ステップと、
前記ネットワーク監視装置が、前記第１無線通信方式と異なる第２無線通信方式を用いて前記スループットを送信する送信ステップと、を含み、
前記第１無線通信方式は相対的に高い通信速度の無線通信方式であり、前記第２無線通信方式は相対的に低い通信速度の無線通信方式である、
ネットワーク監視方法。
【請求項９】
前記ネットワーク監視装置が、前記第１無線通信方式を用いて前記無線ＬＡＮの電波強度を測定する電波強度測定ステップをさらに含み、
前記送信ステップは、前記第２無線通信方式を用いて前記電波強度を送信することを含む、
請求項８に記載のネットワーク監視方法。
【請求項１０】
前記ネットワーク監視装置が、前記第１無線通信方式を用いて前記アクセスポイントから前記無線ＬＡＮに関する無線ＬＡＮ情報を取得する無線ＬＡＮ情報取得ステップをさらに含み、
前記送信ステップは、前記第２無線通信方式を用いて前記無線ＬＡＮ情報を送信することを含む、
請求項８又は９に記載のネットワーク監視方法。
【請求項１１】
ネットワーク監視装置と中央監視装置とを備えるネットワーク監視システムのネットワーク監視方法であって、
請求項８から１０のいずれか一項に記載のネットワーク監視方法の各ステップと、
前記中央監視装置が前記ネットワーク監視装置から前記スループットを含むネットワーク情報を取得するネットワーク情報取得ステップと、を含む、
ネットワーク監視方法。
【請求項１２】
前記中央監視装置が、前記無線ＬＡＮに含まれるコントローラから前記無線ＬＡＮに接続された通信機器に関する接続機器情報を取得する接続機器情報取得ステップをさらに含む、
請求項１１に記載のネットワーク監視方法。
【請求項１３】
ネットワーク監視装置のコンピュータに実行させるネットワーク監視プログラムであって、
第１無線通信方式を用いてアクセスポイントを含む無線ＬＡＮを介するデータ通信を行い、該データ通信のスループットを測定するスループット測定ステップと、
前記第１無線通信方式と異なる第２無線通信方式を用いて前記スループットを送信する送信ステップと、を含み、
前記第１無線通信方式は相対的に高い通信速度の無線通信方式であり、前記第２無線通信方式は相対的に低い通信速度の無線通信方式である、
ネットワーク監視プログラム。
【発明の詳細な説明】
【技術分野】
【０００１】
本発明は、ネットワーク監視装置及びネットワーク監視システムに関する。
【背景技術】
【０００２】
従来、無線端末と、任意のエリアに設置される少なくとも１つの基地局で構成される無線ＬＡＮシステムの運用状況を管理するネットワーク運用管理システムであって、エリアのうち所定の範囲を撮影する少なくとも１つの撮影部と、基地局とネットワークを介して接続され、無線端末の運用情報を取得し、その運用情報を取得日時と対応付ける無線管理部と、撮影部とネットワークを介して接続され、撮影部が撮影した映像と撮影日時を受信し、映像と撮影日時とを対応付ける映像管理部と、映像管理部の映像を表示する表示部と、を備え、映像管理部は、無線管理部より運用情報と取得日時を取得し、取得日時と一致する撮影日時に対応付けられた映像を運用情報と対応付け、所定の日時に対応付けられた映像と運用情報を抽出して表示部に表示するものが知られている（特許文献１参照）。このネットワーク運用管理システムは、無線ＬＡＮシステムにおける無線端末の接続障害に対して、障害要因の絞り込みを容易に行っている。
【先行技術文献】
【特許文献】
【０００３】
【特許文献１】特開２０１６−１８９５８７号公報
【発明の概要】
【発明が解決しようとする課題】
【０００４】
ところで、無線ＬＡＮにおいて複数のアクセスポイントを管理する無線ＬＡＮコントローラは、無線ＬＡＮに接続された通信機器の実際のスループットを得ることができなかった。
【０００５】
無線ＬＡＮに接続された通信機器のスループットを得て無線ＬＡＮを監視する従来の方法は、装置の製品コストや設置費用等のイニシャルコストが高額であったり、通信料金や電気料金等のイニシャルコスト（維持コスト）が高額であったりする、という課題があった。
【０００６】
そこで、本発明は無線ＬＡＮを安価に監視することのできるネットワーク監視装置、ネットワーク監視システム、ネットワーク監視方法、及びネットワーク監視プログラムを提供することを目的とする。
【課題を解決するための手段】
【０００７】
本発明の一態様に係るネットワーク監視装置は、第１無線通信方式を用いてアクセスポイントを含む無線ＬＡＮを介するデータ通信を行い、当該データ通信のスループットを測定するスループット測定部と、第１無線通信方式と異なる第２無線通信方式を用いてスループットを送信する送信部と、を備え、第１無線通信方式は相対的に高い通信速度の無線通信方式であり、前記第２無線通信方式は相対的に低い通信速度の無線通信方式である。
【０００８】
この態様によれば、無線ＬＡＮを介するデータ通信のスループットが測定される。これにより、無線ＬＡＮにおけるスループットの低下を検知することが可能となる。また、第１無線通信方式と異なる第２無線通信方式を用いてスループットが送信される。これにより、ルーティングの問題が発生しない。さらに、第１無線通信方式は相対的に高い（速い）通信速度であり、第２無線通信方式の無線通信方式は相対的に低い（遅い）通信速度である。例えば、ＬＴＥ、４Ｇ、５Ｇ等の移動体通信方式を用いると、高速無線通信が可能となるものの、通信料金は高額になる傾向があるのに対して、低速の無線通信方式を用いると通信料金は低額になる傾向がある。ここで、ネットワーク監視装置が測定するスループットは、データの容量（サイズ）が小さく、低速の通信速度で送信することが可能である。よって、相対的に低い（遅い）通信速度の第２無線通信方式を用いてスループットを送信することで、無線ＬＡＮを安価に監視することができる。
【０００９】
前述の態様において、第１無線通信方式を用いて無線ＬＡＮの電波強度を測定する電波強度測定部をさらに備え、送信部は、第２無線通信方式を用いて電波強度を送信してもよい。
【００１０】
この態様によれば、第２無線通信方式を用いて無線ＬＡＮの電波強度が測定されるこれにより、無線ＬＡＮにおける電波強度の低下を検知することが可能となる。（請求項２，９）
【００１１】
前述の態様において、第１無線通信方式を用いてアクセスポイントから無線ＬＡＮに関する無線ＬＡＮ情報を取得する取得部をさらに備え、送信部は、第２無線通信方式を用いて無線ＬＡＮ情報を送信してもよい。
【００１２】
この態様によれば、第１無線通信方式を用いてアクセスポイントから無線ＬＡＮ情報が取得される。これにより、無線ＬＡＮ情報によって、スループットの低下及び電波強度の低下の原因を特定することが可能となる。（請求項３，１０）
【００１３】
前述の態様において、第１無線通信方式はインターネットプロトコルに従う無線通信方式であり、第２無線通信方式はＬＰＷＡに関する無線通信方式であってもよい。
【００１４】
この態様によれば、第１無線通信方式はインターネットプロトコルに従う通信方式である。これにより、ネットワーク監視装置は、無線ＬＡＮを介してインターネットに接続することができる。また、第２無線通信方式はＬＰＷＡに関する無線通信方式である。ここで、ＬＰＷＡの無線通信方式は、通信速度は速くないが、通信料金が安く、最大１０から５０［ｋｍ］程度の長距離の通信が可能であり、低消費電力であるという特徴を有する。よって、第２無線通信方式がＬＰＷＡに関する無線通信方式であることで、無線ＬＡＮを監視するランニングコスト（維持コスト）を削減することができる。
【００１５】
前述の態様において、無線ＬＡＮ情報は、アクセスポイントのＭＡＣアドレス、ＳＳＩＤ、当該ＳＳＩＤの電波強度、及び周波数チャネルのうちの少なくとも一つを含んでもよい。
【００１６】
この態様によれば、無線ＬＡＮ情報は、アクセスポイントのＭＡＣアドレス、ＳＳＩＤ、当該ＳＳＩＤの電波強度、及び周波数チャネルのうちの少なくとも一つを含む。これにより、スループットの低下及び電波強度の低下の原因を容易に特定することできる。
【００１７】
本発明の他の態様に係るネットワーク監視システムは、前述のネットワーク監視装置と、ネットワーク監視装置からスループットを含むネットワーク情報を取得する中央監視装置と、を備える。
【００１８】
この態様によれば、ネットワーク監視装置からスループットを含むネットワーク情報が取得される。これにより、中央監視装置が無線ＬＡＮにおけるデータ通信のスループットを分析することが可能となる。また、スループットを含むネットワーク情報を周期的に取得することで、無線ＬＡＮの経時的変化を検知することが可能となる。
【００１９】
前述の態様において、中央監視装置は、無線ＬＡＮに含まれるコントローラから無線ＬＡＮに接続された通信機器に関する接続機器情報を取得してもよい。
【００２０】
この態様によれば、無線ＬＡＮに含まれるコントローラから接続機器情報が取得される。これにより、無線ＬＡＮにおけるアクセスポイントの過不足等を判断することが可能となる。
【００２１】
本発明の他の態様に係るネットワーク監視方法は、ネットワーク監視装置のネットワーク監視方法であって、ネットワーク監視装置が、第１無線通信方式を用いてアクセスポイントを含む無線ＬＡＮを介するデータ通信を行い、当該データ通信のスループットを測定するスループット測定ステップと、ネットワーク監視装置が、第１無線通信方式と異なる第２無線通信方式を用いてスループットを送信する送信ステップと、を含み、第１無線通信方式は相対的に高い通信速度の無線通信方式であり、第２無線通信方式は相対的に低い通信速度の無線通信方式である。
【００２２】
この態様によれば、無線ＬＡＮを介するデータ通信のスループットが測定される。これにより、無線ＬＡＮにおけるスループットの低下を検知することが可能となる。また、第１無線通信方式と異なる第２無線通信方式を用いてスループットが送信される。これにより、ルーティングの問題が発生しない。さらに、第１無線通信方式は相対的に高い（速い）通信速度であり、第２無線通信方式の無線通信方式は相対的に低い（遅い）通信速度である。例えば、ＬＴＥ、４Ｇ、５Ｇ等の移動体通信方式を用いると、高速無線通信が可能となるものの、通信料金は高額になる傾向があるのに対して、低速の無線通信方式を用いると通信料金は低額になる傾向がある。ここで、ネットワーク監視装置が測定するスループットは、データの容量（サイズ）が小さく、低速の通信速度で送信することが可能である。よって、相対的に低い（遅い）通信速度の第２無線通信方式を用いてスループットを送信することで、無線ＬＡＮを安価に監視することができる。
【００２３】
前述の態様において、ネットワーク監視装置が、第１無線通信方式を用いて無線ＬＡＮの電波強度を測定する電波強度測定ステップをさらに含み、送信ステップは、第２無線通信方式を用いて電波強度を送信することを含んでもよい。
【００２４】
この態様によれば、第２無線通信方式を用いて無線ＬＡＮの電波強度が測定される。これにより、無線ＬＡＮにおける電波強度の低下を検知することが可能となる。
【００２５】
前述の態様において、ネットワーク監視装置が、第１無線通信方式を用いてアクセスポイントから無線ＬＡＮに関する無線ＬＡＮ情報を取得する無線ＬＡＮ情報取得ステップをさらに含み、送信ステップは、第２無線通信方式を用いて無線ＬＡＮ情報を送信することを含んでもよい。
【００２６】
この態様によれば、第１無線通信方式を用いてアクセスポイントから無線ＬＡＮ情報が取得される。これにより、無線ＬＡＮ情報によって、スループットの低下及び電波強度の低下の原因を特定することが可能となる。
【００２７】
本発明の他の態様に係るネットワーク監視方法は、ネットワーク監視装置と中央監視装置とを備えるネットワーク監視システムのネットワーク監視方法であって、前述のネットワーク監視方法の各ステップと、中央監視装置がネットワーク監視装置からスループットを含むネットワーク情報を取得するネットワーク情報取得ステップと、を含む。
【００２８】
この態様によれば、ネットワーク監視装置からスループットを含むネットワーク情報が取得される。これにより、中央監視装置が無線ＬＡＮにおけるデータ通信のスループットを分析することが可能となる。また、スループットを含むネットワーク情報を周期的に取得することで、無線ＬＡＮの経時的変化を検知することが可能となる。
【００２９】
前述の態様において、中央監視装置が、無線ＬＡＮに含まれるコントローラから無線ＬＡＮに接続された通信機器に関する接続機器情報を取得する接続機器情報取得ステップをさらに含んでもよい。
【００３０】
この態様によれば、無線ＬＡＮに含まれるコントローラから接続機器情報が取得される。これにより、無線ＬＡＮにおけるアクセスポイントの過不足等を判断することが可能となる。
【００３１】
本発明の他の態様に係るネットワーク監視プログラムは、ネットワーク監視装置のコンピュータに実行させるネットワーク監視プログラムであって、第１無線通信方式を用いてアクセスポイントを含む無線ＬＡＮを介するデータ通信を行い、当該データ通信のスループットを測定するスループット測定ステップと、第１無線通信方式と異なる第２無線通信方式を用いてスループットを送信する送信ステップと、を含み、第１無線通信方式は相対的に高い通信速度の無線通信方式であり、第２無線通信方式は相対的に低い通信速度の無線通信方式である。
【００３２】
この態様によれば、無線ＬＡＮを介するデータ通信のスループットが測定される。これにより、無線ＬＡＮにおけるスループットの低下を検知することが可能となる。また、第１無線通信方式と異なる第２無線通信方式を用いてスループットが送信される。これにより、ルーティングの問題が発生しない。さらに、第１無線通信方式は相対的に高い（速い）通信速度であり、第２無線通信方式の無線通信方式は相対的に低い（遅い）通信速度である。例えば、ＬＴＥ、４Ｇ、５Ｇ等の移動体通信方式を用いると、高速無線通信が可能となるものの、通信料金は高額になる傾向があるのに対して、低速の無線通信方式を用いると通信料金は低額になる傾向がある。ここで、ネットワーク監視装置が測定するスループットは、データの容量（サイズ）が小さく、低速の通信速度で送信することが可能である。よって、相対的に低い（遅い）通信速度の第２無線通信方式を用いてスループットを送信することで、無線ＬＡＮを安価に監視することができる。
【発明の効果】
【００３３】
本発明によれば、本発明は無線ＬＡＮを安価に監視することのできるネットワーク監視装置、ネットワーク監視システム、ネットワーク監視方法、及びネットワーク監視プログラムを提供することができる。
【図面の簡単な説明】
【００３４】
【図１】図１は、本発明の一実施形態に係るネットワーク監視システム１００の構成を概略的に示す構成図である。
【図２】図２は、図１に示したネットワーク監視装置の構成を概略的に示すブロック図である。
【図３】図３は、図１に示した中央監視装置の構成を概略的に示すブロック図である。
【図４】図４は、図１に示したネットワーク監視装置の概略動作を示すフローチャートである。
【図５】図５は、図１に示した中央監視装置の概略動作を示すフローチャートである。
【発明を実施するための形態】
【００３５】
以下に本発明の実施形態を説明する。以下の図面の記載において、同一または類似の部分には同一または類似の符号で表している。但し、図面は模式的なものである。したがって、具体的な寸法などは以下の説明を照らし合わせて判断するべきものである。また、図面相互間においても互いの寸法の関係や比率が異なる部分が含まれていることは勿論である。さらに、本発明の技術的範囲は、当該実施形態に限定して解するべきではない。
【００３６】
図１から図５は、本発明の一実施形態に係るネットワーク監視装置、ネットワーク監視システム、ネットワーク監視方法、及びネットワーク監視プログラムを示すためのものである。まず、図１を参照しつつ、本発明の一実施形態に係るネットワーク監視システムの概略構成について説明する。同図は、本発明の一実施形態に係るネットワーク監視システム１００の構成を概略的に示す構成図である。
【００３７】
図１に示すように、ネットワーク監視システム１００は、無線ＬＡＮ（Ｌｏｃａｌ  Ａｒｅａ  Ｎｅｔｗｏｒｋ）１０１を監視するためのものである。無線ＬＡＮ１０１は、例えば、物理的、地理的に離れた複数の店舗、オフィス、事業所等のそれぞれに構築されるものであり、イントラネット等のプライベートネットワークである。無線ＬＡＮ１０１は、インフラストラクチャモードで動作し、無線ＬＡＮコントローラＷＣと、アクセスポイントＡＰ１，ＡＰ２と、を含んで構成される。
【００３８】
本実施形態では、図１において、無線ＬＡＮ１０１が２つのアクセスポイントＡＰ１，ＡＰ２を含む例を示したが、これに限定されるものではない。無線ＬＡＮ１０１は、少なくとも１つのアクセスポイントを含んでいればよく、例えば３つ以上のアクセスポイントを含んでいてもよい。
【００３９】
通信機器ＣＤ１〜ＣＤ４は、それぞれ、アクセスポイントＡＰ１及びアクセスポイントＡＰ２のいずれか一方に接続され、無線ＬＡＮ１０１を介するデータ通信を行うように構成されている。各通信機器ＣＤ１〜ＣＤ４は、例えば、スマートフォン、携帯電話機、個人情報端末（ＰＤＡ）、タブレット端末、携帯ゲーム機、携帯音楽プレーヤ、ウェアラブル端末、ＰＣ（Ｐｅｒｓｏｎａｌ  Ｃｏｍｐｕｔｅｒ）、ネットワークプリンタ、デジタル複合機等の情報通信機器である。
【００４０】
また、無線ＬＡＮ１０１は、バックボーンネットワークＢＮに接続されている。バックボーンネットワークＢＮは、例えばインターネットである。各通信機器ＣＤ１〜ＣＤ４は、無線ＬＡＮ１０１及びバックボーンネットワークＢＮを介して、バックボーンネットワークＢＮに接続される装置、例えば後述する速度測定用サーバＳＶとの間で通信（送受信）することができる。
【００４１】
ネットワーク監視システム１００は、ネットワーク監視装置１０と、中央監視装置９０と、を備える。
【００４２】
ネットワーク監視装置１０は、アクセスポイントＡＰ１及びアクセスポイントＡＰ２のいずれか一方に接続され、無線ＬＡＮ１０１を介して通信（送受信）するように構成されている。また、ネットワーク監視装置１０は、無線ＬＡＮ１０１を介するデータ通信の無線通信方式とは異なる通信方式を用い、受信装置ＲＥとの間で通信（送受信）するように構成されている。
【００４３】
中央監視装置の概要
中央監視装置９０は、バックボーンネットワークＢＮに接続されており、受信装置ＲＥ及びバックボーンネットワークＢＮを介して、ネットワーク監視装置１０との間で通信可能に構成されている。また、中央監視装置９０は、バックボーンネットワークＢＮ及び無線ＬＡＮ１０１を介して、当該無線ＬＡＮ１０１の無線ＬＡＮコントローラＷＣとの間で通信可能に構成されている。
【００４４】
本実施形態では、図１において、ネットワーク監視システム１００が１つの無線ＬＡＮ１０１を監視する例を示したが、これに限定されるものではない。ネットワーク監視システム１００は、前述したように店舗ごとに無線ＬＡＮが構築される場合に、その全てを監視するようにしてもよい。この例において、ネットワーク監視システム１００は、各無線ＬＡＮに対して少なくとも１つのネットワーク監視装置１０を備え、全ての無線ＬＡＮに対して少なくとも１つの中央監視装置９０を備える。
【００４５】
次に、図２を参照しつつ、本発明の一実施形態に従うネットワーク監視装置の概略構成について説明する。同図は、図１に示したネットワーク監視装置１０の構成を概略的に示すブロック図である。
【００４６】
ネットワーク監視装置１０は、例えばコンピュータ等の情報処理装置である。具体的には、ネットワーク監視装置１０は、ラズベリーパイ（Ｒａｓｂｅｒｒｙ  Ｐｉ）等のシングルボードコンピュータである。シングルボードコンピュータは、通常のコンピュータと比較して、簡素な構成であるとともに、有線及び無線の通信機能を備えており、製品コスト、設置費用等のイニシャルコストが安価であり、かつ、低消費電力のコンピュータである。そのため、シングルボードコンピュータは、ネットワーク監視装置１０のようなＩｏＴ（Ｉｎｔｅｒｎｅｔ  Ｏｆ  Ｔｈｉｎｇｓ）機器に適している。
【００４７】
図２に示すように、ネットワーク監視装置１０は、無線ＬＡＮ通信部２０と、ＬＰＷＡ（Ｌｏｗ  Ｐｏｗｅｒ  Ｗｉｄｅ  Ａｒｅａ）通信部３０と、記憶部４０と、制御部５０と、を備える。また、ネットワーク監視装置１０は、ネットワーク監視装置１０の各部の間で信号やデータを伝送するように構成されたバス１１をさらに備える。
【００４８】
無線ＬＡＮ通信部２０は、アンテナ２１に接続されている。アンテナ２１は、例えば５［ＧＨｚ］帯、２．４［ＧＨｚ］帯等の周波数帯で、電波（電磁波）を放射（輻射）及び受波できるように構成されている。無線ＬＡＮ通信部２０は、アンテナ２１を用いて、例えばＷｉ−Ｆｉ（Ｗｉｒｅｌｅｓｓ  Ｆｉｄｅｌｉｔｙ）等の規格に従う無線ＬＡＮの無線通信方式に基づいて、通信を行うように構成されている。より具体的には、無線ＬＡＮ通信部２０の無線通信方式は、インターネットプロトコル（ＩＰ：Ｉｎｔｅｒｎｅｔ  Ｐｒｏｔｏｃｏｌ）に従う無線通信方式である。これにより、ネットワーク監視装置１０は、無線ＬＡＮ１０１を介してインターネットに接続することができる。
【００４９】
無線ＬＡＮ通信部２０の無線通信方式の通信速度は、ＩＥＥＥ８０２．１１ｂの規格に従う場合、最大で１１［Ｍｂｐｓ］であり、ＩＥＥＥ８０２．１１ａｃの規格に従う場合、最大で６．９［Ｍｂｐｓ］である。
【００５０】
ＬＰＷＡ通信部３０は、アンテナ３１に接続されている。アンテナ３１は、例えばＩＳＭ（Ｉｎｄｕｓｔｒｙ  Ｓｃｉｅｎｃｅ  Ｍｅｄｉｃａｌ）バンド、具体的には２．４［ＧＨｚ］帯、９２０［ＭＨｚ］帯、９１５［ＭＨｚ］帯、８６６［ＭＨｚ］帯、２８０［ＭＨｚ］帯等の周波数帯で、電波（電磁波）を放射（輻射）及び受波できるように構成されている。ＬＰＷＡ通信部３０は、アンテナ３１を用いて、無線ＬＡＮ通信部２０の無線通信方式とは異なる無線通信方式、例えば、ＲｏＬａ（又はＲｏＬａＷＡＮ）、ＮＢ−ＩｏＴ、ＥｎＯｃｅａｎ等のＬＰＷＡの無線通信方式に基づいて、通信を行うように構成されている。ここで、ＬＰＷＡの無線通信方式は、通信速度は速くないが、通信料金が安く、最大１０から５０［ｋｍ］程度の長距離の通信が可能であり、低消費電力であるという特徴を有する。よって、ＬＰＷＡ通信部３０の無線通信方式がＬＰＷＡに関する無線通信方式であることで、無線ＬＡＮ１０１を監視するランニングコスト（維持コスト）を削減することができる。
【００５１】
ＬＰＷＡ通信部３０の無線通信方式の通信速度は、例えばＮＢ−ＩｏＴの規格に従う場合、約１００［ｂｐｓ］であり、ＲｏＬａ（又はＲｏＬａＷＡＮ）の規格に従う場合、約２５０［ｂｐｓ］である。
【００５２】
記憶部４０は、プログラムやデータ等を記憶するように構成されている。記憶部４０は、例えば、ハードディスクドライブ、ソリッドステートドライブ等を含んで構成される。記憶部４０は、制御部５０が実行する各種プログラムやプログラムの実行に必要なデータ等をあらかじめ記憶している。
【００５３】
制御部５０は、無線ＬＡＮ通信部２０、ＬＰＷＡ通信部３０、及び記憶部４０等、ネットワーク監視装置１０の各部の動作を制御するように構成されている。また、制御部５０は、記憶部４０に記憶されたプログラムを実行する等によって、後述する各機能を実現するように構成されている。制御部５０は、例えば、ＣＰＵ(Ｃｅｎｔｒａｌ  Ｐｒｏｃｅｓｓｉｎｇ  Ｕｎｉｔ)等のプロセッサ、ＲＯＭ(Ｒｅａｄ  Ｏｎｌｙ  Ｍｅｍｏｒｙ)、ＲＡＭ(Ｒａｎｄｏｍ  Ａｃｃｅｓｓ  Ｍｅｍｏｒｙ)等のメモリ、及びバッファ等の緩衝記憶装置を含んで構成される。制御部５０は、その機能構成として、例えば、スループット測定部５１と、電波強度測定部５２と、無線ＬＡＮ情報取得部５３と、送信部５４と、を備える。
【００５４】
スループット測定部５１は、第１無線通信方式、つまり、無線ＬＡＮ通信部２０の無線通信方式を用いて無線ＬＡＮ１０１を介するデータ通信を行い、当該データ通信のスループットを測定するように構成されている。詳細には、スループット測定部５１は、速度測定用サーバＳＶのＩＰアドレスを含み、所定の容量（サイズ）、例えば８ＭＢの指定ファイルのダウンロードを要求するダウンロード要求を生成する。生成されたダウンロード要求は、無線ＬＡＮ通信部２０によって、無線ＬＡＮ１０１及びバックボーンネットワークＢＮを介して速度測定用サーバＳＶに送信される。ダウンロード要求を受信した速度測定用サーバＳＶは、当該ダウンロード要求に応答し、バックボーンネットワークＢＮ及び無線ＬＡＮ１０１を介して指定ファイルをネットワーク監視装置１０に送信する。スループット測定部５１は、無線ＬＡＮ通信部２０を用いて指定ファイルを受信するとともに、ダウンロード要求の送信から指定ファイルを受信までの時間を測定する。そして、スループット測定部５１は、測定した時間と指定ファイルの容量（サイズ）とに基づいて、無線ＬＡＮ１０１を介するデータ通信のスループットを求める。このように、無線ＬＡＮ１０１を介するデータ通信のスループットを測定することにより、無線ＬＡＮ１０１におけるスループットの低下を検知することが可能となる。
【００５５】
電波強度測定部５２は、無線ＬＡＮ通信部２０の無線通信方式を用いて無線ＬＡＮ１０１の電波強度を測定するように構成されている。詳細には、電波強度測定部５２は、ネットワーク監視装置１０の周辺における無線ＬＡＮ通信部２０の周波数帯の電波を受信し、その電波強度（受信レベル）を測定する。測定した電波強度は、例えば［ｄＢｍ］で表される。このように、無線ＬＡＮ通信部２０の無線通信方式を用いて無線ＬＡＮ１０１の電波強度を測定することにより、無線ＬＡＮ１０１における電波強度の低下を検知することが可能となる。
【００５６】
無線ＬＡＮ情報取得部５３は、無線ＬＡＮ通信部２０の無線通信方式を用いてアクセスポイントＡＰ１，ＡＰ２から無線ＬＡＮ１０１に関する無線ＬＡＮ情報を取得するように構成されている。詳細には、無線ＬＡＮ情報取得部５３は、無線ＬＡＮ情報の収集を要求する情報収集要求を生成し、生成した情報収集要求を無線ＬＡＮ通信部２０によって無線ＬＡＮ１０１のアクセスポイントＡＰ１，ＡＰ２に送信する。情報収集要求を受信した各アクセスポイントＡＰ１，ＡＰ２は、当該情報収集要求に応答し、自己が保有する無線ＬＡＮ情報をネットワーク監視装置１０に送信する。無線ＬＡＮ情報取得部５３は、無線ＬＡＮ通信部２０を用いてそれぞれの無線ＬＡＮ情報を受信する。これにより、アクセスポイントＡＰ１，ＡＰ２から無線ＬＡＮ情報が取得される。このように、無線ＬＡＮ通信部２０の無線通信方式を用いてアクセスポイントＡＰ１，ＡＰ２から無線ＬＡＮ情報を取得することにより、無線ＬＡＮ情報によって、スループットの低下及び電波強度の低下の原因を特定することが可能となる。
【００５７】
無線ＬＡＮ情報取得部５３が取得する無線ＬＡＮ情報は、例えば、各アクセスポイントＡＰ１，ＡＰ２のＭＡＣ（Ｍｅｄｉａ  Ａｃｃｅｓｓ  Ｃｏｎｔｒｏｌ）アドレス、ＳＳＩＤ（Ｓｅｒｖｉｃｅ  Ｓｅｔ  ＩＤｅｎｔｉｆｉｅｒ）、当該ＳＳＩＤの電波強度、及び周波数チャネルのうちの少なくとも一つを含んでいる。これにより、スループットの低下及び電波強度の低下の原因を容易に特定することできる。
【００５８】
送信部５４は、第２無線通信方式、つまり、ＬＰＷＡ通信部３０の無線通信方式を用いてスループット測定部５１によって測定されたスループットを送信するように構成されている。
【００５９】
ここで、スループット測定部５１によって測定されたスループットを、無線ＬＡＮ通信部２０の無線通信方式、つまり、第１無線通信方式を用いて送信する場合、ルーティングの問題が発生する。すなわち、スループット測定部５１によって測定されたスループットを、例えば第１無線通信方式と同じインターネットプロトコルを用いて移動体通信網を介して送信しようとすると、ネットワーク監視装置は測定用と送信用との２つＩＰアドレスを有することになる。そのため、測定時のＩＰパケットのルーティングと送信時のＩＰパケットのルーティングとをそれぞれ指定する必要があり、また、ＩＰパケットの宛先が変わるたびにルーティングを変更する必要がある。
【００６０】
これに対し、無線ＬＡＮ通信部２０の無線通信方式と異なるＬＰＷＡ通信部３０の無線通信方式を用いてスループットを送信するにより、前述したルーティングの問題が発生しない。
【００６１】
また、無線ＬＡＮ通信部２０の無線通信方式は相対的に高い（速い）通信速度であり、ＬＰＷＡ通信部３０の無線通信方式は相対的に低い（遅い）通信速度である。例えば、ＬＴＥ（Ｌｏｎｇ  Ｔｅｒｍ  Ｅｖｏｌｕｔｉｏｎ）、４Ｇ（４ｔｈ  Ｇｅｎｅｒａｔｉｏｎ）、５Ｇ（５ｔｈ  Ｇｅｎｅｒａｔｉｏｎ）等の移動体通信方式を用いると、高速無線通信が可能となるものの、通信料金は高額になる傾向があるのに対して、低速の無線通信方式を用いると通信料金は低額になる傾向がある。ここで、ネットワーク監視装置１０が測定するスループットは、データの容量（サイズ）が小さく、低速の通信速度で送信することが可能である。よって、相対的に低い（遅い）通信速度のＬＰＷＡ通信部３０の無線通信方式を用いてスループットを送信することで、無線ＬＡＮ１０１を安価に監視することができる。
【００６２】
また、送信部５４は、電波強度測定部５２によって測定された電波強度と、無線ＬＡＮ情報取得部５３によって取得された無線ＬＡＮ情報についても、ＬＰＷＡ通信部３０の無線通信方式を用いて送信するように構成されている。送信部５４が送信した、スループット、電波強度、及び無線ＬＡＮ情報は、受信装置ＲＥによって受信される。
【００６３】
送信部５４は、スループット、電波強度、及び無線ＬＡＮ情報をまとめて（一緒に）送信してもよいし、それぞれ送信してもよい。また、送信部５４は、スループット、電波強度、及び無線ＬＡＮ情報をそれぞれ送信する場合に、例えばスループット測定部５１による測定後すぐにスループットを送信してよいし、スループット測定部５１による測定後、所定時間経過後にスループットを送信してよい。
【００６４】
制御部５０の各機能は、コンピュータ（マイクロプロセッサ）で実行されるプログラムによって実現することが可能である。したがって、制御部５０が備える各機能は、ハードウェア、ソフトウェア、若しくはハードウェア及びソフトウェアの組み合わせによって実現可能であり、いずれかの場合に限定されるものではない。
【００６５】
また、制御部５０の各機能が、ソフトウェア、若しくはハードウェア及びソフトウェアの組み合わせによって実現される場合、その処理は、マルチタスク、マルチスレッド、若しくはマルチタスク及びマルチスレッドの両方で実行可能であり、いずれかの場合に限定されるものではない。
【００６６】
次に、図３を参照しつつ、本発明の一実施形態に従う中央監視装置の概略構成について説明する。同図は、図１に示した中央監視装置９０の構成を概略的に示すブロック図である。
【００６７】
中央監視装置９０は、例えばコンピュータ等の情報処理装置である。図３に示すように、中央監視装置９０は、通信部９１と、記憶部９２と、制御部９５と、を備える。また、中央監視装置９０は、中央監視装置９０の各部の間で信号やデータを伝送するように構成されたバス９９をさらに備える。
【００６８】
通信部９１は、データを通信（送受信）するためのものである。通信部９１は、１つ又は複数の所定の無線通信方式に基づいて、バックボーンネットワークＢＮを介して受信装置ＲＥ及び無線ＬＡＮコントローラＷＣと通信可能に構成されている。バックボーンネットワークＢＮがインターネットである場合、通信部９１の無線通信方式のうちの少なくとも１つは、インターネットプロトコルに従う無線通信方式である。
【００６９】
記憶部９２は、プログラムやデータ等を記憶するように構成されている。記憶部９２は、例えば、ハードディスクドライブ、ソリッドステートドライブ等を含んで構成される。記憶部９２は、制御部９５が実行する各種プログラムやプログラムの実行に必要なデータ等をあらかじめ記憶している。
【００７０】
また、記憶部９２は、スループットログ９２ａと、電波強度ログ９２ｂと、無線ＬＡＮ情報ログ９２ｃと、接続機器情報ログ９２ｄと、を記憶している。なお、スループットログ９２ａ、電波強度ログ９２ｂ、無線ＬＡＮ情報ログ９２ｃ、及び接続機器情報ログ９２ｄは、それぞれ、ファイルであってもよいし、データベースであってもよい。スループットログ９２ａ、電波強度ログ９２ｂ、無線ＬＡＮ情報ログ９２ｃ、及び接続機器情報ログ９２ｄの少なくとも一部がデータベースである場合に、正規化を行い、データのグループ単位を細分化してもよい。
【００７１】
制御部９５は、ＬＰＷＡ通信部９１及び記憶部９２等、中央監視装置９０の各部の動作を制御するように構成されている。また、制御部９５は、記憶部９２に記憶されたプログラムを実行する等によって、後述する各機能を実現するように構成されている。制御部９５は、例えば、ＣＰＵ等のプロセッサ、ＲＯＭ、ＲＡＭ等のメモリ、及びバッファ等の緩衝記憶装置を含んで構成される。制御部９５は、その機能構成として、例えば、ネットワーク情報取得部９５ａと、接続機器情報取得部９５ｂと、を備える。
【００７２】
ネットワーク情報取得部９５ａは、ネットワーク監視装置１０からスループットを含むネットワーク情報を取得するように構成されている。詳細には、ネットワーク情報取得部９５ａは、受信装置ＲＥからバックボーンネットワークＢＮを介して送信されるネットワーク情報を、通信部９１によって受信する。ネットワーク情報は、前述したスループットに加え、例えばネットワーク監視装置１０が測定した電波強度と、ネットワーク監視装置１０が取得した無線ＬＡＮ情報と、を含んでいる。これにより、スループットを含むネットワーク情報がネットワーク監視装置１０から受信装置ＲＥを介して取得される。このように、ネットワーク監視装置１０からスループットを含むネットワーク情報を取得することにより、中央監視装置９０が無線ＬＡＮ１０１におけるデータ通信のスループットを分析することが可能となる。また、スループットを含むネットワーク情報を周期的に取得することで、無線ＬＡＮ１０１の経時的変化を検知することが可能となる。
【００７３】
本実施形態では、受信装置ＲＥからネットワーク情報が送信され、ネットワーク情報取得部９５ａは受動的にネットワーク情報を取得する例を説明したが、これに限定されるものではない。ネットワーク情報取得部９５ａは、能動的に受信装置ＲＥからネットワーク情報を取得するようにしてもよい。また、ネットワーク情報取得部９５ａは、ネットワーク監視装置１０から受信装置ＲＥを介してネットワーク情報を取得する場合に限定されず、ネットワーク監視装置１０からネットワーク情報を直接取得してもよい。この場合、通信部９１のうちの少なくとも１つは、例えば、ＲｏＬａ（又はＲｏＬａＷＡＮ）、ＮＢ−ＩｏＴ、ＥｎＯｃｅａｎ等のＬＰＷＡの無線通信方式である。
【００７４】
ネットワーク情報取得部９５ａは、取得したネットワーク情報のうち、スループットをスループットログ９２ａに、電波強度を電波強度ログ９２ｂに、無線ＬＡＮ情報を無線ＬＡＮ情報ログ９２ｃに、それぞれ格納する。
【００７５】
接続機器情報取得部９５ｂは、無線ＬＡＮ１０１に含まれる無線ＬＡＮコントローラＷＣから、無線ＬＡＮ１０１に接続された通信機器ＣＤ１〜ＣＤ４に関する接続機器情報を取得するように構成されている。詳細には、接続機器情報取得部９５ｂは、接続機器情報の収集を要求する情報収集要求を生成し、生成した情報収集要求を通信部９１によってバックボーンネットワークＢＮを介して無線ＬＡＮ１０１の無線ＬＡＮコントローラＷＣに送信する。情報収集要求を受信した無線ＬＡＮコントローラＷＣは、当該情報収集要求に応答し、バックボーンネットワークＢＮを介して自己が保有する接続機器情報を中央監視装置９０に送信する。接続機器情報取得部９５ｂは、通信部２０によって接続機器情報を受信する。これにより、無線ＬＡＮコントローラＷＣから接続機器情報が取得される。このように、無線ＬＡＮコントローラＷＣから接続機器情報を取得することにより、無線ＬＡＮ１０１におけるアクセスポイントＡＰ１，ＡＰ２の過不足等を判断することが可能となる。
【００７６】
接続機器情報取得部９５ｂが取得する接続機器情報は、例えば、無線ＬＡＮ１０１に接続された通信機器ＣＤ１〜ＣＤ４の接続数、無線ＬＡＮ１０１に接続された各通信機器ＣＤ１〜ＣＤ４のＩＰアドレス、及び無線ＬＡＮ１０１に接続された各通信機器ＣＤ１〜ＣＤ４のＩＰアドレスのうちの少なくとも一つを含んでいる。
【００７７】
接続機器情報取得部９５ｂは、取得した接続機器情報を接続機器情報ログ９２ｄに格納する。
【００７８】
制御部９５の各機能は、コンピュータ（マイクロプロセッサ）で実行されるプログラムによって実現することが可能である。したがって、制御部９５が備える各機能は、ハードウェア、ソフトウェア、若しくはハードウェア及びソフトウェアの組み合わせによって実現可能であり、いずれかの場合に限定されるものではない。
【００７９】
また、制御部９５の各機能が、ソフトウェア、若しくはハードウェア及びソフトウェアの組み合わせによって実現される場合、その処理は、マルチタスク、マルチスレッド、若しくはマルチタスク及びマルチスレッドの両方で実行可能であり、いずれかの場合に限定されるものではない。
【００８０】
次に、図４及び図５を参照しつつ、本発明の一実施形態に係るネットワーク監視装置及びネットワーク監視システムの概略動作について説明する。図４は、図１に示したネットワーク監視装置１０の概略動作を示すフローチャートである。図５は、図１に示した中央監視装置９０の概略動作を示すフローチャートである。
【００８１】
＜ネットワーク監視処理＞
ネットワーク監視装置１０の制御部５０は、例えば電源が入れられて起動すると、図４に示すネットワーク監視処理Ｓ２００を実行する。
【００８２】
最初に、スループット測定部５１は、無線ＬＡＮ通信部２０の無線通信方式を用いて無線ＬＡＮ１０１を介するデータ通信を行い、当該データ通信のスループットを測定する（Ｓ２０１）。
【００８３】
次に、電波強度測定部５２は、無線ＬＡＮ通信部２０の無線通信方式を用いて無線ＬＡＮ１０１の電波強度を測定する（Ｓ２０２）。
【００８４】
次に、無線ＬＡＮ情報取得部５３は、無線ＬＡＮ通信部２０の無線通信方式を用いてアクセスポイントＡＰ１，ＡＰ２から無線ＬＡＮ１０１に関する無線ＬＡＮ情報を取得する（Ｓ２０３）。
【００８５】
次に、送信部５４は、ステップＳ２０１で測定されたスループットと、ステップＳ２０２で測定された電波強度と、ステップ２０３で取得した無線ＬＡＮ情報とを、ＬＰＷＡ通信部３０の無線通信方式を用いて送信する（Ｓ２０４）。
【００８６】
次に、制御部５０は、ステップＳ２０４の後、所定時間を経過したか否かを判定し（２０５）、所定時間を経過するまでステップＳ２０５の判定を繰り返す。
【００８７】
ステップＳ２０５の判定の結果、所定時間を経過した場合、ステップＳ２０１に戻り、例えば電源が切断されて停止するまで、制御部５０は、ステップＳ２０１からステップ２０５を繰り返す。これにより、所定時間ごとに、ＬＰＷＡ通信部３０の無線通信方式を用いてスループット、電波強度、及び無線ＬＡＮ情報が送信される。
【００８８】
＜中央監視処理＞
中央監視装置９０の制御部９５は、例えば受信装置ＲＥからバックボーンネットワークＢＮを介してネットワーク情報が送信されると、図５に示す中央監視処理Ｓ３００を実行する。
【００８９】
最初に、ネットワーク情報取得部９５ａは、通信部９１によってネットワーク情報を受信し、ネットワーク監視装置１０からスループットを含むネットワーク情報を取得する（Ｓ３０１）。
【００９０】
次に、ネットワーク情報取得部９５ａは、ステップＳ３０１で取得されたネットワーク情報のうち、スループットをスループットログ９２ａに、電波強度を電波強度ログ９２ｂに、無線ＬＡＮ情報を無線ＬＡＮ情報ログ９２ｃに、それぞれ格納する（Ｓ３０２）。
【００９１】
次に、接続機器情報取得部９５ｂは、通信部９１を用いて無線ＬＡＮコントローラＷＣから接続機器情報を取得する（Ｓ３０３）。
【００９２】
次に、接続機器情報取得部９５ｂは、ステップＳ３０１で取得された接続機器情報を接続機器情報ログ９２ｄに格納する（Ｓ３０４）。
【００９３】
以上、本発明の例示的な実施形態について説明した。本発明の一実施形態に係るネットワーク監視装置１０、ネットワーク監視システム１００、ネットワーク監視方法、及びネットワーク監視プログラムによれば、無線ＬＡＮ１０１を介するデータ通信のスループットが測定される。これにより、無線ＬＡＮ１０１におけるスループットの低下を検知することが可能となる。また、無線ＬＡＮ通信部２０の無線通信方式と異なるＬＰＷＡ通信部３０の無線通信方式を用いてスループットが送信される。これにより、前述したルーティングの問題が発生しない。さらに、無線ＬＡＮ通信部２０の無線通信方式は相対的に高い（速い）通信速度であり、ＬＰＷＡ通信部３０の無線通信方式は相対的に低い（遅い）通信速度である。例えば、ＬＴＥ、４Ｇ、５Ｇ等の移動体通信方式を用いると、高速無線通信が可能となるものの、通信料金は高額になる傾向があるのに対して、低速の無線通信方式を用いると通信料金は低額になる傾向がある。ここで、ネットワーク監視装置１０が測定するスループットは、データの容量（サイズ）が小さく、低速の通信速度で送信することが可能である。よって、相対的に低い（遅い）通信速度のＬＰＷＡ通信部３０の無線通信方式を用いてスループットを送信することで、無線ＬＡＮ１０１を安価に監視することができる。
【００９４】
以上説明した実施形態は、本発明の理解を容易にするためのものであり、本発明を限定して解釈するためのものではない。各実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００９５】
１０…ネットワーク監視装置、１１…バス、２０…通信部、２１…アンテナ、３０…ＬＰＷＡ通信部、３１…アンテナ、４０…記憶部、５０…制御部、５１…スループット測定部、５２…電波強度測定部、５３…無線ＬＡＮ情報取得部、５４…送信部、９０…中央監視装置、９１…通信部、９２…記憶部、９２ａ…スループットログ、９２ｂ…電波強度ログ、９２ｃ…無線ＬＡＮ情報ログ、９２ｄ…接続機器情報ログ、９５…制御部、９５ａ…ネットワーク情報取得部、９５ｂ…接続機器情報取得部、９９…バス、１００…ネットワーク監視システム、１０１…無線ＬＡＮ、ＡＰ１，ＡＰ２…アクセスポイント、ＢＮ…バックボーンネットワーク、ＣＤ１，ＣＤ２，ＣＤ３，ＣＤ４…通信機器、ＲＥ…受信装置、Ｓ２００…ネットワーク監視処理、Ｓ３００…中央監視処理、ＳＶ…速度測定用サーバ、ＷＣ…無線ＬＡＮコントローラ。
【図１】
2020048151.tif 000003
【図２】
2020048151.tif 000004
【図３】
2020048151.tif 000005
【図４】
2020048151.tif 000006
【図５】
2020048151.tif 000007
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
第１無線通信方式を用いてアクセスポイントを含む無線ＬＡＮを介するデータ通信を行い、該データ通信のスループットを測定するスループット測定部と、
前記第１無線通信方式と異なる第２無線通信方式を用いて前記スループットを送信する送信部と、を備え、
前記第１無線通信方式は相対的に高い通信速度の無線通信方式であり、前記第２無線通信方式は相対的に低い通信速度の無線通信方式であり、
前記第２無線通信方式はＬＰＷＡに関する無線通信方式である、
ネットワーク監視装置。
【請求項２】
前記第１無線通信方式を用いて前記無線ＬＡＮの電波強度を測定する電波強度測定部をさらに備え、
前記送信部は、前記第２無線通信方式を用いて前記電波強度を送信する、
請求項１に記載のネットワーク監視装置。
【請求項３】
前記第１無線通信方式を用いて前記アクセスポイントから前記無線ＬＡＮに関する無線ＬＡＮ情報を取得する取得部をさらに備え、
前記送信部は、前記第２無線通信方式を用いて前記無線ＬＡＮ情報を送信する、
請求項１又は２に記載のネットワーク監視装置。
【請求項４】
シングルボードコンピュータを用いて構成される、
請求項１から３のいずれか一項に記載のネットワーク監視装置。
【請求項５】
前記無線ＬＡＮ情報は、前記アクセスポイントのＭＡＣアドレス、ＳＳＩＤ、及び周波数チャネルのうちの少なくとも一つを含む、
請求項３に記載のネットワーク監視装置。
【請求項６】
請求項１から５のいずれか一項に記載のネットワーク監視装置と、
前記ネットワーク監視装置から前記スループットを含むネットワーク情報を取得する中央監視装置と、を備える、
ネットワーク監視システム。
【請求項７】
前記中央監視装置は、前記無線ＬＡＮに含まれるコントローラから前記無線ＬＡＮに接続された通信機器に関する接続機器情報を取得する、
請求項６に記載のネットワーク監視システム。
【請求項８】
ネットワーク監視装置のネットワーク監視方法であって、
前記ネットワーク監視装置が、第１無線通信方式を用いてアクセスポイントを含む無線ＬＡＮを介するデータ通信を行い、該データ通信のスループットを測定するスループット測定ステップと、
前記ネットワーク監視装置が、前記第１無線通信方式と異なる第２無線通信方式を用いて前記スループットを送信する送信ステップと、を含み、
前記第１無線通信方式は相対的に高い通信速度の無線通信方式であり、前記第２無線通信方式は相対的に低い通信速度の無線通信方式であり、
前記第２無線通信方式はＬＰＷＡに関する無線通信方式である、
ネットワーク監視方法。
【請求項９】
前記ネットワーク監視装置が、前記第１無線通信方式を用いて前記無線ＬＡＮの電波強度を測定する電波強度測定ステップをさらに含み、
前記送信ステップは、前記第２無線通信方式を用いて前記電波強度を送信することを含む、
請求項８に記載のネットワーク監視方法。
【請求項１０】
前記ネットワーク監視装置が、前記第１無線通信方式を用いて前記アクセスポイントから前記無線ＬＡＮに関する無線ＬＡＮ情報を取得する無線ＬＡＮ情報取得ステップをさらに含み、
前記送信ステップは、前記第２無線通信方式を用いて前記無線ＬＡＮ情報を送信することを含む、
請求項８又は９に記載のネットワーク監視方法。
【請求項１１】
ネットワーク監視装置と中央監視装置とを備えるネットワーク監視システムのネットワーク監視方法であって、
請求項８から１０のいずれか一項に記載のネットワーク監視方法の各ステップと、
前記中央監視装置が前記ネットワーク監視装置から前記スループットを含むネットワーク情報を取得するネットワーク情報取得ステップと、を含む、
ネットワーク監視方法。
【請求項１２】
前記中央監視装置が、前記無線ＬＡＮに含まれるコントローラから前記無線ＬＡＮに接続された通信機器に関する接続機器情報を取得する接続機器情報取得ステップをさらに含む、
請求項１１に記載のネットワーク監視方法。
【請求項１３】
ネットワーク監視装置のコンピュータに実行させるネットワーク監視プログラムであって、
第１無線通信方式を用いてアクセスポイントを含む無線ＬＡＮを介するデータ通信を行い、該データ通信のスループットを測定するスループット測定ステップと、
前記第１無線通信方式と異なる第２無線通信方式を用いて前記スループットを送信する送信ステップと、を含み、
前記第１無線通信方式は相対的に高い通信速度の無線通信方式であり、前記第２無線通信方式は相対的に低い通信速度の無線通信方式であり、
前記第２無線通信方式はＬＰＷＡに関する無線通信方式である、
ネットワーク監視プログラム。